(57)【要約】本発明はリブ上のラグ個数を増加および減少させることによりタイヤ性能のバランスをとると同時に、望ましいタイヤノイズ性能を得る方法を提供する。本発明方法は、タイヤ設計者が高低の両ピッチ数のパターンによる利点を得るとともに、不快なタイヤノイズを低減することを可能にする。本発明方法は、タイヤトレッドパターンの基本ピッチの設計、およびタイヤのトレッドパターンの設計を含む。本発明は、さらに、基本ピッチおよびトレッドパターンを組み込んだタイヤを提供する。
2010506796.tif 000002
【特許請求の範囲】
【請求項１】
周方向に少なくとも２種類のリブグループを有し、各リブグループは異なる数のピッチを有するタイヤトレッドパターンの基本ピッチを設計する方法において、
（ａ）ｘ＞１として、走行方向におけるトレッドのラグによるｘ個のリブを有するタイヤトレッドパターンを設けるステップと、
（ｂ）ｎ＞１として、前記トレッドのラグによるリブをｎ個のリブグループにグループ分けするステップと、
（ｃ）各リブグループ内のトレッドのラグ個数ｓを決定するステップであって、ｓｉはｉ番目のリブにおけるトレッドのラグ数とし、ｓｉ＜ｓｉ＋１ を満たし、ｉは１からｎ−１まで線形に増加するものとしたステップと、
（ｄ）ｓ１からｓｎまでの最大公約数が１となるようにｓを定義するステップと、
を有する方法。
【請求項２】
請求項１に記載の方法において、さらに、ｓ１に対するｓｎの比を、１．０〜２．０の間における数に限定し、ただし１．５を除くものとするステップを有する方法。
【請求項３】
請求項１に記載の方法において、さらに、ｓ１に対するｓｎの比を、１．０〜２．０の間における数に限定するステップを有する方法。
【請求項４】
前記基本ピッチはそれぞれ周方向の少なくとも２個のリブグループを有し、各リブグループ内に異なる数のピッチを有する、複数の基本ピッチを用いる空気入りタイヤのトレッドパターンを設計する方法において、
前記トレッドパターンの基本ピッチを創生する基本ピッチ創生ステップであって、（ａ）ｘ＞１として走行方向におけるトレッドのラグによるｘ個のリブを有するタイプのタイヤトレッドパターンを選択するステップ、（ｂ）ｎ＞１として、前記トレッドのラグによるリブをｎ個のリブグループにグループ分けするステップ、（ｃ）各リブグループ内のトレッドのラグ個数ｓを決定するステップであって、ｓｉはｉ番目のリブ内におけるトレッドのラグ数とし、ｓｉ＜ｓｉ＋１を満たし、ｉは１からｎ−１まで線形に増加するものとした、ステップ、（ｄ）ｓ１からｓｎまでの最大公約数が１となるようにｓを定義するステップ、を含む該基本ピッチ創生ステップと、
任意のリブグループにおけるトレッドのラグ数が最少であるｋ＊ｓ＞３９となり、任意のリブにおけるトレッドラグの数が最大となるｋ＊ｓ＜８１となるように基本ピッチの個数ｋを選択するステップと、
を有する方法。
【請求項５】
請求項４に記載の方法において、さらに、ｋ＊ｓ１に対するｋ＊ｓｎの比を、１．０〜２．０の間における数に限定し、ただし１．５を排除するものとしたステップを有する方法。
【請求項６】
請求項４に記載の方法において、さらに、ｋ＊ｓ１に対するｋ＊ｓｎの比を、１．０〜１．５の間における数に限定するステップを有する方法。
【請求項７】
トレッドのラグによる少なくとも２個の周方向リブを持つタイヤトレッドパターンを設計する方法において、
前記タイヤの周方向に配列したトレッドのラグによる複数のリブグループを有する基本ピッチを持つ、前記トレッドパターンの基本ピッチを選択する基本ピッチ選択ステップであって、ある一つのリブグループは最大個数であるｓｎ個のラグを持ち、別のリブグループは最小個数であるｓ１個のラグを有するようにし、ラグの最大個数とラグの最小個数の比は、１．０より大きく２．０未満であるが、１．５ではない、ように選択する該基本ピッチ選択ステップと、
前記トレッドパターンの基本ピッチの個数ｋを選択するｋ選択ステップであって、選択した基本ピッチ数に基本ピッチにおける任意のリブグループの最大ラグ数を乗じたものが８０以下であり、また選択した基本ピッチ数に基本ピッチにおける任意のリブグループの最小ラグ数を乗じたものが４０以上となるよう選択する該ｋ選択ステップと、
を有する方法。
【請求項８】
請求項７に記載の方法において、さらに、ｋ＊ｓ１に対するｋ＊ｓｎの比を１．０〜２．０の間における数に限定するステップを有する方法。
【請求項９】
請求項７に記載の方法において、さらに、前記基本ピッチの個数を最大化し、またトレッドパターンの共通境界線の個数を最大化するために前記基本ピッチ内のサブピッチの個数を最小化するステップ、有する方法。
【請求項１０】
請求項７に記載の方法において、さらに、タイヤノイズのピッチシーケンスを形成するために、タイヤ周方向に前記基本ピッチの物理長さを変化させるステップを有する方法。
【請求項１１】
請求項７に記載の方法において、さらに、前記基本ピッチをｍ個のサブピッチに副分割するステップと、タイヤノイズのピッチシーケンスを形成するためにタイヤ周方向の前記サブピッチの物理長さを変化させるステップと、を有する方法。
【請求項１２】
空気入りタイヤにおいて、
トレッドパターンを画定する本体を有し、前記トレッドパターンは周方向における複数のリブグループを有し、
各リブグループは、同一数であるｋ個の基本ピッチを有し、
各リブグループは、異なる数であるｎ個のトレッドのラグを有し、前記リブグループのうち一つは最小個数のラグを持ち、前記リブグループの他の一つは最大個数のラグを持ち、
ラグの最小個数に対するラグの最大個数の比率を、１．０以上２．０未満とし、ただし１．５を排除した比率にした
タイヤ。
【請求項１３】
請求項１２に記載のタイヤにおいて、前記比率は１．０以上１．５未満としたタイヤ。
【請求項１４】
請求項１２に記載のタイヤにおいて、任意のリブグループにおけるラグの最大数が８０以下であり、任意のリブグループ内のラグの最小数が４０以上とした、タイヤ。
【請求項１５】
請求項１２に記載のタイヤにおいて、前記トレッドパターンは、中央リブグループと、内側リブグループと、外側リブグループとを有する、タイヤ。
【請求項１６】
請求項１５に記載のタイヤにおいて、前記中央リブグループは、前記内側および外側リブグループのどちらよりも多い個数のラグを有する、タイヤ。
【請求項１７】
請求項１５に記載のタイヤにおいて、前記中央リブグループは、前記内側および外側リブグループのどちらよりも少ない個数のラグを有する、タイヤ。
【請求項１８】
請求項１２に記載のタイヤにおいて、前記トレッドパターンは、内側リブグループと外側リブグループとを有する、タイヤ。
【請求項１９】
請求項１８に記載のタイヤにおいて、前記内側リブグループは、前記外側リブグループよりも多くのラグを有する、タイヤ。
【請求項２０】
請求項１８に記載のタイヤにおいて、前記外側リブグループは、前記内側リブグループよりも多くのラグを有する、タイヤ。
【発明の詳細な説明】
【技術分野】
【０００１】
本件出願は、２００６年１０月１７日に出願された米国仮特許出願第６０／８５２，２２０号の優先権を主張するものであり、参考として本明細書に付記する。
【０００２】
本発明は、概して、タイヤ、およびピッチシーケンスが原因で起こるタイヤノイズを改善するようタイヤのトレッドパターンの設計する方法に関する。とくに、本発明は、タイヤのトレッドパターン、および異なるリブグループに異なる数のラグを持つ複数のリブグループを有するトレッドパターンの基本ピッチの設計方法に関する。
【背景技術】
【０００３】
タイヤ設計のある態様としては、不快なタイヤノイズを最小化するステップを含む。タイヤノイズは、トレッドパターンのラグが路面と接触するときに発生する。変化しないトレッドパターン、すなわち単一ピッチのトレッドパターンは、不快な調子の、すなわち単一ピッチサウンドを発生する。タイヤ設計者は、単一ピッチのサウンドを回避するためにトレッドパターンを変化させる。トレッドパターンは、一般的に、タイヤ周方向のトレッドピッチのサイズを変化させることにより変化を付ける。ピッチシーケンスを形成するトレッドピッチのサイズを変化させることは、ノイズスペクトルの周波数領域を広げることにより単一ピッチのタイヤノイズを減少する傾向を持つが、時間領域における不快なノイズは生成され続ける。タイヤトレッドの設計者は、タイヤに望ましい動作特性を与えると同時に不快なタイヤノイズもまた最小化するようなピッチシーケンスを要望する。
【０００４】
トレッドパターンは、現在、トレッドピッチの異なるバリエーションにより発生するタイヤノイズを比較することで解析されている。既知の解析技術は、容認できるタイヤノイズを発生するトレッド設計のために、タイヤ設計者がピッチシーケンスを選択できるようにする。このような解析技術の一つは、ピッチシーケンスのフーリエスペクトルを用いることで、好ましくないと知られている周波数の集中を認識する。特許文献１（米国特許６１１２１６７号）に記載される他の技術は、タイヤ周方向のピッチシーケンスの一部を解析する。
【０００５】
タイヤトレッドの設計者が直面している問題は、多目的タイヤ用の非対称なトレッド設計の需要の高まりである。非対称タイヤは、一方の側をドライトラクションおよび耐摩耗性に最適であるとともに、もう他方の側をウェットトラクションおよび排水作用について最適化するように設計する。非対称なトレッドパターンは、一般的にタイヤの異なる側で異なるトレッドパターンを持ち、したがってタイヤの異なる周方向リブに異なる数のラグを持つことができる。一つのリブグループに望ましいタイヤノイズを与える基本ピッチは、別のリブグループでは不快なタイヤノイズを生じることがあり得る。設計方法論は、非対称タイヤに組み込んだ、異なるピッチシーケンスを解析するメカニズムを提供しない。タイヤ設計者は、それ故に、互いに異なるピッチシーケンスを有する複数のリブを有するタイヤのトレッドパターンを使用するための、改善した解析および設計方法を要望する。タイヤ使用者は、リブ毎にラグ個数が異なる複数リブタイヤを要望するとともに、ピッチシーケンスによる不快なタイヤノイズを最小化することも望んでいる。
【０００６】
この問題は、非対称なタイヤのトレッドパターンに限ったものではない。通常、対称的なタイヤトレッドパターンに対して、設計者は、各周方向リブ、すなわちリブグループ毎に同一個数のラグを設計する選択肢か、ある任意のリブまたはリブグループにおいてラグを副分割する選択肢のどちらかを持つ。第１の場合において、全周方向リブにおけるラグ数の比率は１：１である。第２の場合において比率は１：２であり、１個以上の周方向リブにおいて１００％増加する。好天候および悪天候条件に対するタイヤ性能をチューニングするために、タイヤ設計者は、パターンの中央部におけるラグの個数差を、肩部におけるよりも少なくするようにして、性能バランスをとる融通性を必要とする。例えば設計者は、劣悪天候でより良い性能を得るために中央部には肩部よりも２５％多いラグを持たせるとともに、肩部のラグによる好天候性能を維持することを望む場合がある。したがって、設計者は、一つのリブまたはリブグループが、別のリブまたはリブグループに対して１：１．２５または４：５のラグ個数比率にすることを望む場合がある。このバイアス比率は、従って、中央部対肩部バイアス（偏り）により赤道線に対して対称にし、内側対外側バイアスにより赤道線に対して非対称にする。もし２個以上の周方向リブまたはリブグループがある場合、設計者は、それぞれに対して異なるバイアス（偏り）にする、さらにタイヤトレッドパターンの設計をチューニングすることをも望むであろう。
【先行技術文献】
【特許文献】
【０００７】
【特許文献１】米国特許６１１２１６７号明細書
【発明の概要】
【発明が解決しようとする課題】
【０００８】
ある実施形態として、本発明は、リブにおけるラグの個数を増加および減少させてタイヤ性能のバランスをとるとともに、また望ましいタイヤノイズ性能を持つようにする方法を供給する。本発明方法は、タイヤ設計者が、高ピッチ総数および低ピッチ総数によるパターン双方の利点を利用するとともに、不快なタイヤノイズを最小化することを可能にする。本発明方法は、タイヤトレッドパターンの基本ピッチの設計、およびタイヤのトレッドパターンの設計に関連する。本発明は、さらに、この基本ピッチおよびトレッドパターンを組み込んだタイヤを提供する。
【課題を解決するための手段】
【０００９】
一つの態様として、本発明は、周方向に少なくとも２種類のリブグループを有し、各リブグループは異なる数のピッチを有するタイヤトレッドパターンの基本ピッチを設計する方法を提供し、本発明方法は、以下のステップ、すなわち、（ａ）ｘ＞１として走行方向におけるトレッドのラグによるｘ個のリブを有するタイヤトレッドパターンを設けるステップと、（ｂ）ｎ＞１として、トレッドのラグによるリブをｎ個のリブグループにグループ分けするステップと、（ｃ）各リブグループ内のトレッドのラグ個数がｓ個を決定するラグ個数決定ステップであって、ｓｉはｉ番目のリブにおけるトレッドのラグ個数とし、ｓｉ＜ｓｉ＋１を満たし、ｉが１からｎ−１まで線形に増加するものとした該ラグ個数決定ステップと、（ｄ）ｓ１からｓｎまでの最大公約数が１となるようにｓを定義するステップと、を含む。
【００１０】
本発明の他の態様は、それぞれ周方向の少なくとも２個のリブグループを有し、各リブグループ内に異なる数のピッチを持つ、複数の基本ピッチを用いる空気入りタイヤのトレッドパターンを設計する方法を提供し、本発明方法は、以下のステップを有する、すなわち、（ａ）ｘ＞１として走行方向におけるトレッドのラグによるｘ個のリブを有するタイプのタイヤトレッドパターンを選択するステップと、（ｂ）ｎ＞１として、トレッドのラグによるリブをｎ個のリブグループにグループ分けするステップと、（ｃ）各リブグループ内のトレッドのラグ個数ｓを決定するステップであって、ｓｉはｉ番目のリブ内におけるトレッドのラグ数であり、ｓｉ＜ｓｉ＋１を満たし、ｉが１からｎ−１まで線形に増加するものとしたステップと、（ｄ）ｓ１からｓｎまでの最大公約数が１となるようにｓを定義するステップと、任意のリブグループにおけるトレッドのラグ数が最少であるｋ＊ｓ＞３９となり、任意のリブにおけるトレッドのラグ数が最大となるｋ＊ｓ＜８１となるように基本ピッチの個数ｋを選択するステップと、を有する。
【００１１】
本発明の別の態様は、トレッドのラグによる少なくとも２個の周方向リブを有するタイヤトレッドパターンの設計方法を提供し、本発明方法は、以下のステップ、すなわち、タイヤの周方向に配列したトレッドのラグによる複数のリブグループを有する基本ピッチを持つ、トレッドパターンの基本ピッチを選択する基本ピッチ選択ステップであって、ある一つのリブグループは最大個数であるｓｎ個のラグを持ち、別のリブグループは最小個数であるｓ１個のラグを有するようにし、ラグの最小個数に対するラグの最大個数の比が、１．０より大きく２．０未満でるが、１．５ではないように選択する該基本ピッチ選択ステップと、トレッドパターンの基本ピッチ個数ｋを選択するｋ選択ステップであって、また選択した基本ピッチ数に、基本ピッチにおける任意のリブグループの最大ラグ数を乗じたものが８０以下であり、選択した基本ピッチ数に基本ピッチにおける任意のリブグループの最小ラグ数を乗じたものが４０以上となるよう選択する該ｋ選択ステップと、を有する。
【００１２】
本発明のさらに他の態様は、タイヤを提供し、本発明タイヤは、タイヤの基本ピッチの長さを変化させることでトレッドパターンにおけるタイヤノイズのピッチシーケンスを形成することである。タイヤノイズのシーケンスは、さらに、基本ピッチをｍ個のサブピッチに副分割し、タイヤノイズのピッチシーケンスを形成するようタイヤの周方向にサブピッチの物理長さを変化させることによっても、形成できる。
【００１３】
本発明は、さらに、トレッドパターンを画定する本体を有するタイヤを提供し、本発明タイヤは、トレッドパターンは周方向における複数のリブグループを有し、各リブグループは、同一数であるｋ個の基本ピッチを有し、各リブグループは異なる数であるｎ個のトレッドのラグを有し、；リブグループのうち一つはリブグループのうち一つは最小個数のラグを持ち、前記リブグループの他の一つは最大個数のラグを持ち、最大ラグ個数対最小ラグ個数の比率を１．０より大きく２．０未満とし、ただし１．５を排除した比率にする。
本発明タイヤは、対称構成および非対称構成にして設けることができる。
【図面の簡単な説明】
【００１４】
【図１】２種類（大小）の異なるサイズのサブピッチを、各ピッチ間に一個のサブピッチを配置した場合の、例示的な４個のリブトレッド設計要素（トレッド形状は総括的である）の概略図である。
【図２】図1に示す４個のリブトレッド設計要素を用いたピッチシーケンスにおける最初の１６ピッチの概略図である。
【図３】２種類（大小）の異なるサイズのサブピッチを、各ピッチ間に２個のサブピッチを配置した場合の、４個のリブトレッド設計要素（トレッド形状は一般的である）の例の概略図である。
【図４】図３に示す４個のリブトレッド設計要素を用いたピッチシーケンスにおける最初の８ピッチの概略図である。
【図５】Ｄ値の変化を示すチャートである。
【図６】Ｄの比率を４：３または１．３３としてタイヤのピッチシーケンスに適用した例示的なＳ値セットを示すチャートである。
【図７】異なる目的のために設計したトレッドパターンであり、より少ないラグを有することにより耐磨耗性および良天候向けに設計したトレッドパターンの実施形態である。
【図８】より多くのラグを有することにより悪天候およびノイズ性能向けに設計したトレッドパターンの実施形態である。
【図９】図７および８からトレッド設計の一部を用いたトレッドパターンの実施形態である。
【図１０】ピッチあたりの１サブピッチを有するトレッドの他の実施形態である。
【図１１】図１２のトレッドパターンを形成するのに使用した６個のサブ区域を示す。
【図１２】図１１に示す６個のサブ区域を用いたトレッドパターンの実施形態である。
【図１３】予測されるノイズ周波数障害の３パターンを示す。
【図１４】モデル化したノイズのチャートである。
【図１５】予測されるタイヤ性能のチャートである。
【図１６】基本ピッチの個数およびサブピッチの個数に対する望ましいラグ個数を示す設計チャートである。  類似参照符号および文字は、本明細書全体を通して類似部分に言及するものである。
【発明を実施するための形態】
【００１５】
本発明方法を使用して空気入りタイヤのトレッドパターンを設計し、このトレッドパターンは、周方向帯域または周方向リブに配置した、周方向の荷重支持要素またはラグを複数個有する。同一個数のラグを有する帯域またはリブは一括してリブグループとしてみなす。それらは隣接することがよくあるが、リブグループ内の帯域またはリブは、他の帯域またはリブに対して間隔を空けて配置することができ、また互いに隣接する必要はない。リブグループとしては、周方向ラグよりなる単独のリブ、または周方向ラグを持つ複数個のリブがあり得る。本発明は多種多様な広範囲の設計に適用できるが、以下に説明する実施形態は、１〜７個のリブグループ内に２０〜１６０個のラグを有するトレッド設計に焦点を当てる。このリブグループの個数範囲は、市場で望まれる大部分のタイヤが約１６８０ｍｍ〜３２００ｍｍの範囲におけるタイヤトレッド周長を有するという事実に基づく。これらタイヤに用いる大部分のラグは２０ｍｍ〜７５ｍｍの間の周長を有し、したがって小径タイヤでは約２２〜８４個の範囲のラグ、大径タイヤでは約４３〜１６０個の範囲のラグを有する。製造基準、タイヤ磨耗基準およびタイヤノイズ基準を考慮するとき、商業的に生産したタイヤのほとんどは４０〜８０個のラグを有する。本発明方法は、したがって、この範囲のタイヤトレッドパターンに使用ものとして説明する。本発明方法は、さらに、この範囲外のラグ個数範囲にも本発明方法のステップを適用することができる。
【００１６】
タイヤの各トレッド設計に対して、周方向に配列したラグＬのリブグループＲが「ｘ」個あるものとする。本発明方法により生ずるタイヤトレッドパターンは、サブピッチＳの整数組み合わせを有し、このサブピッチＳは各リブグループＲ内に基本ピッチＰを形成する。基本ピッチは、（トレッド設計における）共通境界線で始まり（トレッド設計における）共通境界線で終わるタイヤトレッドの一部分として定義し、この部分において基本ピッチ内部に含まれる各リブに対してリブごとのラグ個数の最大公約数は１である。基本ピッチは、リブグループ内でタイヤ周長にわたり「ｋ」回繰り返す。サブピッチは基本ピッチＰ内部のトレッド形状の一部である。「ｍ」個のサブピッチＳが存在し、これらサブピッチは基本ピッチＰ内で個別に拡縮することできる。
【００１７】
任意の所定リブグループＲ内で、ラグＬの総数「ｙ」はラグの等式により定義することができる。すなわち、ｙＲ＝ｋ＊ｍＲ  である。各基本ピッチＰ内に１個のみのサブピッチＳがあるとき（単一ユニット設計と称する）、各リブグループＲ内のラグＬの総数ｙは、基本ピッチＰの数と等しい。各基本ピッチＰ内にサブピッチＳが２個あるとき、各リブグループＲ内のラグＬの総数ｙは基本ピッチの個数ｋの２倍に等しい。これら二つの例を図１〜４に示す。
【００１８】
単一ユニット設計を説明するために、例示的な４個のリブＲのトレッドパターン要素を図１に示し、この場合、基本ピッチＰあたりに１個のサブピッチＳのみ存在して、このサブピッチは小（Ｓｍ）または大（Ｌｇ）のいずれかである。この実施例において、各リブグループは単一のリブを有する。これら図面に示すトレッドパターンの形状は、概略的、総括的また例示的なものである。本発明は多種多様なラグ形状に適用することができる。例えば、小サブピッチ（Ｓｍ）は２５ｍｍの長さとし、大サブピッチ（Ｌｇ）は４０ｍｍの長さとすることができる。ある実施例におけるピッチシーケンスを、［２５，２５，４０，４０，２５，４０，４０，２５，２５，２５，４０，４０，４０，２５，４０，４０…］とすることができる。図２はこのピッチシーケンスを適用した図１のトレッド要素を線図的に示す。
【００１９】
２ユニット設計を説明するために、例示的な４個のリブＲのトレッドパターン要素を図３に示す。第１サブピッチ（Ｓ１）は上述した図１につき説明した実施例と同様の形状を有するとともに、第２サブピッチ（Ｓ２）は異なる形状を有する（リブＲ２およびＲ３では横溝を省いてある）状態を図３に示す。図３は大（Ｌｇ）小（Ｓｍ）両方のサブピッチ長を示す。図４は、上述の実施例における図３のトレッド要素のピッチシーケンス［２５，２５，４０，４０，２５，４０，４０，２５，２５，２５，４０，４０，４０，２５，４０，４０…］を適用したものを線図的に示す。この実施例において、各基本ピッチＰは、Ｓ１およびＳ２（Ｓ１およびＳ２のサイズはこの実施例のピッチシーケンスに従う）を有して、異なるリブＲは異なる個数のラグＬを持つ。Ｒ１およびＲ４は、Ｒ２およびＲ３の２倍のラグを有する。この実施例におけるラグＬの特定配列は本発明とは無関係であり、Ｒ１およびＲ２がＲ３およびＲ４の２倍のラグＬを有する、またはＲ２およびＲ３がＲ１およびＲ４の２倍のラグＬを有するものとこともできる。
【００２０】
各リブにおける異なる個数のラグにより生ずる、異なるタイヤノイズを解析するために、リブ微分値Ｄを以下の式により決定する。すなわち、Ｄ＝（任意のリブグループにおけるラグの最大個数）／（任意のリブグループにおけるラグの最小個数）。リブグループ微分値（Ｄ）は、最小個数のラグを持つリブで生ずるノイズ数に対する、最大個数のラグを持つリブで生ずるノイズ数の比を与える。図２の第１実施例ではＤ＝１で、図４の第２実施例ではＤ＝２である。Ｄ＞２を持つトレッド設計は可能であるが、望ましくない特性となることがわかっており、なぜならこれらの設計はラグの剛性において望ましくない大きな差を有するからである。Ｄが厳密に２であるトレッド設計もまた望ましくなく、なぜなら最大トレッド通過振動数が最小トレッド通過振動数の倍数となり、この振動数で望ましくない振幅スパイクを生ずるからである。トレッド通過振動数Ｆは、以下のように定義される。すなわち、Ｆ＝Ｖ＊ｙ／Ｃ、ここでＶはタイヤの接地速度を表し、Ｃはタイヤ周長を表す。タイヤが回転するにつれて各ラグが路面と衝突して、したがってインパルスとして働く。したがって基本振動数の整数倍である多重周波数が存在する。これらの周波数は、ｊ＝１，２，３…としてＦｊ＝ｊ＊（Ｖ＊ｙ／Ｃ）により決定される。タイヤ設計者は、あるリブで最初に存在する３種類の周波数のいずれかが、異なる個数のラグを有するリブにおける最初の３種類の周波数と一致することを望まない。このことは、Ｄ＝１，２．０または１．５のときに発生する。したがって、Ｄを１と２の間とする（Ｄ＝１．０，２．０または１．５を除く）タイヤトレッド設計が、タイヤノイズに関して望ましい。本明細書の文脈では、用語「間（between）」は端部境界の１．０および２．０を除く。しかし、１．５と２．０の間のＤ値は１．０と１．５の間のＤ値に比べてあまり望ましくない結果となり、これはすなわちＤ値が１．５と２．０の間であるときにラグ剛性により大きな差が生まれるからである。
【００２１】
図５のチャートは設計パラメータを定義するために用いる。基本設計サイクルにおけるラグの最小個数を横方向に配置し、またラグの最大個数を縦方向に配置する。各組み合わせのＤ値をチャートのセルにおいて計算する。
【００２２】
このチャートにおける各組み合わせに対して、追加のチャートを展開して、基本設計サイクルの数に基づくフルパターンにおけるラグ個数のバランスを検討する。実施例を得る目的のために、小ラグ４個対大ラグ３個（Ｄ＝１．３３）の比率（ｍ）を図６のチャートで分析する。このチャートから、１４〜２０の基本設計サイクルを使用することで望ましいラグ個数が得られ、この理由としては、各リブにおけるラグ総数が、上記の望ましい設計パラメータの範囲内に含まれるからである。基本ピッチＰが１４個である（ｋ＝１４）場合、２個のリブ内に４２個と５６個のラグが存在してリブの間に１４ピッチの差があり、Ｐ＝２０の場合、２個のリブ内に６０個と８０個のラグが２０ピッチの差で存在する。ピッチ数の差（Δ）は次式により定義される。すなわち、Δ＝Ｐ＊（ｍｍａｘ−ｍｍｉｎ）。この差Δが増加するにつれて、ラグ剛性の変化も増加する。タイヤトレッド設計におけるラグ数の増加は、雪および雨天条件での性能が向上するとともに、タイヤ−路面境界面における衝撃エネルギーが減少し、この結果低ノイズ振幅をもたらす。ラグ数を減少するまたはラグ剛性を増加させることは、好天条件でのドライトラクションが向上するとともに、タイヤの寿命が向上する。本発明により設計したタイヤトレッドは、ドライトラクションおよび悪天候の両方に対するタイヤ特性を持つことにより、タイヤ性能のバランスをとる。
【００２３】
図７および８は、異なる特性を持つタイヤトレッドパターンによる２種類の異なる実施例を示し、これらを組み合わせて図９のタイヤトレッドパターンを形成し、タイヤ赤道により２等分された上側を図８のトレッド、タイヤ赤道により２等分された下側を図７のトレッドとする。図７のトレッドはより少ないラグを、図８のトレッドパターンはより多くのラグを、タイヤの周縁にわたりに配置する。図９は、上側の２つのリブ（Ｒ１およびＲ２）は図８の構成を持ち、下側の２つのリブ（Ｒ３およびＲ４）は図７の構成を持つパターンを示す。図９のトレッドパターンは、したがって両トレッドパターンから性能の利点を組み込んでいる。この実施例において、Ｄは１．３３であり、Ｒ１およびＲ２内ではピッチあたりラグが８個であり、Ｒ３およびＲ４内ではピッチあたりラグが６個である。
【００２４】
ツーピースに関しては、クラムシェルタイプのタイヤモデルが２０世紀終盤を通してタイヤ産業界で一般的になっており、図９のタイヤトレッドはタイヤモールド（金型）製造という観点で望ましいだろう。ツーピース式のモールド（金型）はタイヤ赤道またはその近傍の位置で周方向に２分割する。各ピースの製造は個別に行うことができ、したがって図９に示すような互いに無関係のトレッドパターンを備えることができる。トレッドパターンの一方の側からトレッドパターンの他方の側までタイヤモールド（金型）の横方向区域としては、８個から１００以上ものトレッドセグメントにより形成される従来のタイプのタイヤモデルでは、トレッドパターンの一方の側から他方の側まで連続した境界線を有するタイヤトレッド区域を持つことが望ましい。図９に示したタイヤトレッドの連続境界線の例として、区域Ａ−Ａおよび区域Ｂ−Ｂの断面がある。本発明方法により構成したタイヤトレッドパターンは、図９に示す区域Ａ−Ａのように、トレッドパターンの始端には少なくとも１個の共通境界線を有する。図７および図８のタイヤの各トレッドパターンに対する、タイヤトレッドパターンのノイズシーケンスの複雑性に基づいて、図９に示す区域Ｂ−Ｂのように１個以上の共通境界線を持つことができる。共通境界線の最小個数はしたがって１であり、共通境界線の最大個数は幾何学的観点における最大公約数として知ることができる。図７の各繰り返しパターンのタイヤは１２個の区域を持つ。図８のタイヤは１６個の区域を持つ。１２という数は１，２，３，４，６，１２を含む６個の公約数を持つ。１６という数は１，２，４，８，１６を含む５個の公約数を持つ。１２と１６の最大公約数は４である。したがって図９の複合トレッドパターンは最大４個の共通境界線を有することができる。
【００２５】
このとき、基本ピッチは、共通境界線で始まり共通境界線で終わるタイヤトレッドの一部分として定義することができ、この部分において基本ピッチに含まれる各リブに関してリブ毎のラグ数の最大公約数は１である。図９に例示したタイヤの基本ピッチは１であり、各リブにおけるラグ数は、上記で計算した最大公約数により除算した任意のリブにおけるラグ総数と等しい。この場合、リブＲ１およびＲ２における基本ピッチ内のラグ数は４（１６／４＝４）であり、リブＲ３およびＲ４におけるラグ数は３（１２／４＝３）である。
【００２６】
図１０は、図９のトレッドパターンと同数のラグをリブあたりに有するタイヤトレッドパターンを示すが、４個の基本ピッチを備えており、各基本ピッチはピッチサイズを大小二つに変化させた複合ユニットである。全トレッドパターンは、タイヤノイズのピッチシーケンスの要件にもとづいて順次に配列した基本ピッチを有する。したがって、図１０に示すタイヤトレッドパターンの共通ピッチ境界線の数は、各リブにおけるラグ数の最大公約数と等しく、また従来タイプのセグメント化したタイヤモールド（金型）から製造するタイヤに好適に適用できる。図１０の設計に対する制限は、タイヤトレッド内でのラグサイズの可変性は、基本ピッチサイズにおけるサイズ可変性に一致する点である。図１０において、各サブピッチの長さは基本ピッチの長さに等しい。各基本ピッチ（Ｐ）はしたがって、サブピッチ（Ｓ）の倍数（ｍ）まで副分割する。ｍ値はｍ＝１，２，３，４，５，６などの任意の整数とすることができる。ｍ値が増加するにつれて、モールド（金型）のユニークな固有区域の数も増加する。図１０ではｍ＝１であり、ピッチサイズの個数（ｔ）は２（大と小）である。固有な形状のサブピッチ（Ｓ）の個数（Ｕ）は以下の式により表すことができる。すなわち、Ｕ＝ｍ＊ｔ。固有な形状のサブピッチ（Ｓ）の個数（Ｕ）を増加するために、サブピッチサイズの個数（ｔ）または基本ピッチの分割数（ｍ）のどちらかを増加しなくてはならない。従来技術に一般的であるのは、ピッチサイズの個数（ｔ）を２〜８の間にすることである。固有な形状の個数（Ｕ）を急激に増大する方法は、ｍを増加させることである。
【００２７】
ｍとして基本ピッチにおけるラグの最大個数（この実施例では４）より大きい値を選択することは実用的でなく、ｍとして基本ピッチにおけるラグの最小個数（この実施例では３）よりも小さい値を選択することは望ましくない。モールド製造の複雑性を最小化するために、固有な形状の最小個数を最初に選択する。本発明において、ｍは、任意のリブにおける基本設計サイクルのラグの最小個数として最初に選択する。ユニークな固有セグメント数（Ｕ）として、より大きい数がノイズまたは他の性能のために必要であると決定した場合、ｍは、任意のリブにおける基本設計サイクルのラグの最大個数に一致するまで増加する。
【００２８】
図１１は、基本ピッチの小および大のサブ区域の組（セット）を示す。図１２は、１，２，３，１，２，３…のように形状の反復を使用して、また選択したサイズシーケンスに基づくサイズ選択を利用した、トレッドパターンの典型的区域を示す。この設計は増大した形状可変性を有して、リブ１および２は基本ピッチあたり４個のラグを持ち、リブ３および４は基本ピッチあたり３個のラグを持つ。図６のチャートに基づき、基本ピッチが１５個ある場合、リブ１および２は６０個のラグをもち、リブ３および４は４５個のラグを持つ。６０個のラグを持つタイヤ側は悪天候時の性能をもたらし、４５個のピッチを持つ方は好天候での性能をもたらす。このパターンをノイズ解析することにより、本発明によりタイヤノイズが大きく減少した。図１３は、この実施例から３パターンの予測ノイズ周波数分布を示す。最大ノイズレベルを有するタイヤは、図１に示した固有形状であり、図２に示した実施例のように各リブに同数のラグを有するタイヤである。したがって、基本ピッチあたり１個のサブピッチのみの４５個の基本ピッチを持つ。２番目に高いノイズレベルを有するタイヤは、基本ピッチあたり１つのサブピッチを持つ６０個の基本ピッチを有して、図１に示したものと同様な固有形状を持つ。最も低いノイズレベルを有するタイヤは本発明の望ましい実施形態によるものである。このタイヤは、図１０に分類されるような６個のユニークな固有形状を持ち、図１２を代表例とする。この設計において事実上、上側の２個のリブに６０個のラグを設け、下側の２個のリブに４５個のラグを設ける。モデル化したノイズレベルの差を図１４に示す。予測されるタイヤ性能のチャートを図１５に示す。このように設計したタイヤは、全天候における性能とノイズ性能における改善を両立するように設計されている。
【００２９】
上述の実施例は、低い側と高い側の比が３：４となるようにタイヤを中心で分けている。図１６のチャートは、任意の所定リブにおけるラグ個数を、２〜２７個の基本ピッチに対して３〜１６個のサブピッチを持つ条件に対して計算したものである。明るい網掛けのセルはラグ個数が４０以下の場合を表し、より暗い網掛けのセルはラグ個数が８０以上の場合を表す。このチャートの範囲について、網掛けしていないセルは特定のサブピッチ数および基本ピッチ数について望ましいラグ個数であることを表す。
【００３０】
設計者は図１６のチャートを用いて、基本ピッチ、サブピッチおよびラグ数の望ましい組み合わせを設計者の基準に基づいて割り出す。例えば、もしタイヤが５個のリブグループを持つことをタイヤ設計者が知っていたなら、図１６のチャートにより設計者は初めに、１０，８，７，６，５，４の基本ピッチのタイヤ設計に限定し、この理由としては、これらは５個以上の網掛していないセルを持つ唯一の列であるからである。設計者は次に、Ｄの比率を計算することにより、またはラグ数の範囲を選択することにより、潜在的選択肢を限定する。この実施例において、１０個の基本ピッチと５個のリブグループを選択することは、比率Ｄを２．０（８０／４０）とする。この比率は、したがって１０個の基本ピッチという選択肢を除外する。この設計は、次に、８個の基本ピッチの選択肢に着目して、比率Ｄを２．００（８０／４０），１．８０（７２／４０），１．６７（８０／４８）とする３つの選択肢が利用可能であることがわかる。Ｄ＝２．００という選択肢は図５につき説明したように除外される。上述のように、他の選択肢も利用可能であるが、もしより望ましい比率Ｄが利用可能ならば、それらの採用をやめるべきである。設計者は、次に、基本ピッチが７個の場合に利用可能な選択肢を解析することができる。このチャートにより、７０／４２（Ｄ＝１．６７）、７７／４９（Ｄ＝１．５７）、７７／４２（Ｄ＝１．８３）の３個の可能性を得る。基本ピッチが６個の場合のデータにより、Ｄが１．５７，１．７１，１．８５，１．５，１．６３，１．４４の６個の可能性を得る。次にＤ＝１．５という選択肢は図５ににつき説明したように除外する。比率１．４４が好適であり、設計者は５４，６０，６６，７２，７８個のラグを持つリブグループを使用可能である。各リブグループは９，１０，１１，１２，１３個のサブピッチに分割した６個の基本ピッチを持つ。同様の解析を５個および４個の基本ピッチに対しても実行して、代替可能性を得る。
【００３１】
設計者が設計チャートを用いる別の方法は、リブグループにおける望ましいラグ数を選択し、その後に、チャート上に適合する選択肢を見つける方法である。例えばトレッド設計者は、各リブに異なる数のラグを有する５個のリブ（したがってリブグループが５個である）のタイヤであって、リブあたりのラグ数の範囲が４７以上７９以下であるタイヤを設計することを望むと仮定する。この設計チャートより、４７個より大きいラグ個数を持つ網掛けしてないブロックは少なくとも５個あり、８，７，６，５，４個の基本ピッチを持つことがわかる。基本ピッチが６個の場合、７２／４８（Ｄ＝１．５）、７８／４８（Ｄ＝１．６３）、７８／５４（Ｄ＝１．４４）の選択肢が存在する。次にＤ＝１．５の選択肢は図５につき説明したように除外する。比率Ｄの計算により、７８，７２，６６，６０，５４個のラグを有するリブの選択肢を一つ得る。これらのリブを任意の特定の順番で配置する必要はない。この設計チャートは、さらに、５個の基本ピッチ（７０／５５および７５／５５）においても可能性を得る。
【００３２】
本発明によれば、タイヤ設計者に、全天候性能および改善したノイズ性能のバランスをとる設計を創作する融通性を与える。上述の説明において、簡潔さ、明確さおよび理解し易さのために特定の用語を用いた。従来技術要件を越えて不必要に限定する意図はなく、なぜならこのような用語は説明目的のために用いたものであり、広く解釈されるべきである。
【００３３】
さらにまた、本発明の説明および図面の記載は例示的なものであり、本発明は図示または説明した正確な細部に限定するものではない。
【図１】
2010506796.tif 000003
【図２】
2010506796.tif 000004
【図３】
2010506796.tif 000005
【図４】
2010506796.tif 000006
【図５】
2010506796.tif 000007
【図６】
2010506796.tif 000008
【図７】
2010506796.tif 000009
【図８】
2010506796.tif 000010
【図９】
2010506796.tif 000011
【図１０】
2010506796.tif 000012
【図１１】
2010506796.tif 000013
【図１２】
2010506796.tif 000014
【図１３】
2010506796.tif 000015
【図１４】
2010506796.tif 000016
【図１５】
2010506796.tif 000017
【図１６】
2010506796.tif 000018
【国際調査報告】
2010506796.tif 000019
2010506796.tif 000020
2010506796.tif 000021